(57)【要約】【課題】光源から出射された光を回転偏向器によって偏向走査させて像担持体に照射することで静電潜像を形成する光走査装置と、像担持体に形成された静電潜像をトナーにより現像する現像部とを有する電子写真方式の画像形成装置に装着されるトナー容器において、筐体の内壁面にトナーが付着して堆積するのを抑制することにある。【解決手段】トナー容器３の筐体３０には、当該トナー容器３が画像形成装置１に装着された状態で、光走査装置１４の支持部材１００に当接する当接部３０ｅ，３０ｆが設けられている。【選択図】図２
2019148762.tif 000002
【特許請求の範囲】
【請求項１】
光源から出射された光を回転偏向器によって偏向走査させて像担持体に照射することで静電潜像を形成する光走査装置と、上記像担持体に形成された静電潜像をトナーにより現像する現像部とを有する電子写真方式の画像形成装置に装着されるトナー容器であって、
当該トナー容器は、トナーを収容する筐体と、該筐体内のトナーを上記現像部に供給するトナー供給部と、上記筐体内のトナーを撹拌するとともに上記トナー供給部に搬送する撹拌機構とを有し、
上記画像形成装置は、上記光走査装置を支持する支持部材を有し、
当該トナー容器の筐体には、該トナー容器が上記画像形成装置に装着された状態で、上記支持部材に当接する当接部が設けられている、トナー容器。
【請求項２】
請求項１記載のトナー容器において、
上記支持部材と、上記当接部を含む上記筐体とからなる部材群の固有振動数が、上記光走査装置の回転偏向器の回転周波数に一致する、トナー容器。
【請求項３】
請求項１又は２記載のトナー容器において、
当該トナー容器は、上記画像形成装置に対して水平方向に挿抜自在に装着され、
上記光走査装置の上記支持部材は、上記画像形成装置における当該トナー容器が装着される装着部の上側に設けられ、
上記当接部は、上記筐体の上面から上側に突出して当該トナー容器の挿抜方向に沿って延び且つ該挿抜方向に直交する方向に間隔を空けて並ぶ一対の当接突部からなる、トナー容器。
【請求項４】
請求項３記載のトナー容器において、
上記支持部材の下面には、下側に突出して上記挿抜方向に沿って延び且つ該挿抜方向に直交する方向に並ぶ一対のガイド突部が形成され、
上記一対のガイド突部は、当該トナー容器が上記画像形成装置の上記装着部に装着される際に、上記筐体の上面から突出する上記一対の当接突部を上記挿抜方向にガイドするように形成されている、トナー容器。
【請求項５】
請求項４記載のトナー容器において、
上記一対のガイド突部は、当該トナー容器が上記画像形成装置の上記装着部に装着された状態で、該各ガイド突部の下端面が上記筐体の上面に当接するように形成されている、トナー容器。
【請求項６】
請求項１乃至５のいずれか一項に記載のトナー容器において、
上記支持部材は、上記光走査装置の下面における上記回転偏向器の下側に位置する部分に当接する当接座部を有している、トナー容器。
【請求項７】
光源から出射された光を回転偏向器によって偏向走査させて像担持体に照射することで静電潜像を形成する光走査装置と、上記像担持体に形成された静電潜像をトナーにより現像する現像部と、内部にトナーを収容する筐体を有していて上記現像部にトナーを供給するトナー容器と、該トナー容器が装着される装着部と、上記光走査装置を支持する支持部材とを備えた電子写真方式の画像形成装置であって、
上記支持部材は、上記トナー容器の筐体に当接する当接部を有している、画像形成装置。
【請求項８】
請求項７記載の画像形成装置において、
上記支持部材は、上記装着部の上側に配置されて上記光走査装置を下側から支持し、
上記当接部は、上記支持部材の下面から下側に突出して上記トナー容器の筐体に当接する、画像形成装置。
【発明の詳細な説明】
【技術分野】
【０００１】
本発明は、トナー容器及び画像形成装置に関する。
【背景技術】
【０００２】
一般に、電子写真方式の画像形成装置は、感光体ドラム（像担持体）に光を照射して静電潜像を形成する光走査装置と、感光体ドラムに形成された静電潜像をトナー像として現像する現像部と、現像部にトナーを補給するトナー容器とを備えている。
【０００３】
上記光走査装置は、光源から出射された光を偏向走査させるポリゴンミラーを備えている。ポリゴンミラーは、筐体の底壁部に固定されたポリゴンモーターにより駆動される。
【０００４】
上記トナー容器は、例えば特許文献１に示すように、現像剤としてのトナーが収容された筐体を有している。筐体には、トナーを現像部に供給するトナー供給部が設けられている。筐体の内部には、トナーを撹拌しながらトナー供給部へと搬送する撹拌機構が設けられている。
【０００５】
撹拌機構は、筐体の内部で回転駆動されるシャフトと、シャフトに取り付けられた撹拌シートとを有している。上記撹拌シートは、可撓性を有するシート材により構成されている。撹拌シートの先端部（シャフトに固定されていない側の端部）は、筐体の内壁面に接触しながら移動する。そのことにより、筐体内のトナーは、撹拌シートによって撹拌されると共にトナー供給部へ搬送される。トナー供給部に搬送されたトナーは、回転する搬送スクリューによってトナー供給口まで搬送されて、該トナー供給口から現像部へ供給される。  
【先行技術文献】
【特許文献】
【０００６】
【特許文献１】特開２０１０−１７６０３３号公報
【発明の概要】
【発明が解決しようとする課題】
【０００７】
上記特許文献１に示すトナー容器では、トナーが筐体の内壁面に付着したまま堆積する場合がある。この堆積したトナーは現像部に供給されずにトナー容器内に残留する。このため、トナー容器内のトナー全てを使い切ることができず、残留したトナーが無駄に廃棄されてしまうという問題がある。
【０００８】
この問題を解決するべく、筐体の内壁面に対する撹拌シートの接触圧を高めることが考えられる。しかし、撹拌シートの接触圧が高過ぎると却ってトナーが内壁面に付着し易くなる。したがって、単に撹拌シートの接触圧を調整するだけでは、筐体の内壁面へのトナーの付着を防止することは困難である。
【０００９】
本発明は、かかる点に鑑みてなされたものであり、その目的とするところは、トナー容器の筐体の内壁面にトナーが付着して堆積するのを抑制し、延いては、トナー容器内に未使用のトナーが残留して無駄に廃棄されるのを回避することにある。
【課題を解決するための手段】
【００１０】
本発明に係るトナー容器は、光源から出射された光を回転偏向器によって偏向走査させて像担持体に照射することで静電潜像を形成する光走査装置と、像担持体に形成された静電潜像をトナーにより現像する現像部とを有する電子写真方式の画像形成装置に装着される。
【００１１】
そして、当該トナー容器は、トナーを収容する筐体と、該筐体内のトナーを上記現像部に供給するトナー供給部と、上記筐体内のトナーを撹拌するとともに上記トナー供給部に搬送する撹拌機構とを有し、上記画像形成装置は、上記光走査装置を支持する支持部材を有し、上記筐体には、当該トナー容器が上記画像形成装置に装着された状態で、上記支持部材に当接する当接部が設けられている。
【発明の効果】
【００１２】
本発明によれば、トナー容器の筐体の内壁面にトナーが付着して堆積するのを抑制することができる。延いては、トナー容器内に未使用のトナーが残留して無駄に廃棄されるのを回避することができる。
【図面の簡単な説明】
【００１３】
【図１】図１は、実施形態における画像形成装置の前側カバーを取り外した状態を示す外観斜視図である。
【図２】図２は、画像形成装置内の要部の概略構成を示す断面図である。
【図３】図３は、光走査装置の蓋部を外した状態を示す斜視図である。
【図４】図４は、図２におけるトナーコンテナの装着部を拡大して示す拡大図である。
【図５】図５は、トナーコンテナの蓋部を示す斜視図である。
【図６】図６は、トナーコンテナの装着途中の状態を示す斜視図である。
【図７】図７は、実施形態２を示す図４相当図である。
【図８】図８は、他の実施形態を示す図４相当図である。
【発明を実施するための形態】
【００１４】
以下、本発明の実施形態を図面に基づいて詳細に説明する。尚、本発明は、以下の実施形態に限定されるものではない。
【００１５】
図１及び図２は、本発明の実施形態における画像形成装置１の一例であるレーザープリンターを示している。
【００１６】
画像形成装置１は、装置本体２と、装置本体２に着脱可能に装着されたトナーコンテナ３（トナー容器）とを備えている。
【００１７】
装置本体２は、カセット給紙部４と、画像形成部５と、定着部（図示省略）と、排紙部６とを有している。画像形成装置１は、装置本体２内の用紙搬送路Ｌに沿って用紙Ｐを搬送しながら、不図示の端末等から送信される画像データに基づいて用紙Ｐに画像を形成する。
【００１８】
カセット給紙部４は、装置本体２の底部に設けられている。カセット給紙部４は、給紙カセット７、ピックアップローラー８ａ、及びフィードローラー８ｂを有している。
【００１９】
給紙カセット７は、互いに重ねられた複数の用紙Ｐを収容する。ピックアップローラー８ａは、給紙カセット７内に収容された用紙Ｐを一枚ずつカセット外に送り出す。フィードローラー８ｂは、送り出された用紙Ｐを用紙搬送路Ｌへと供給する。
【００２０】
画像形成部５は、装置本体２内の右側端部における給紙カセット７よりも上側に設けられている。画像形成部５は、感光体ドラム９と、帯電部１０、現像部１１、転写ローラー１２、クリーニング部１３、及び光走査装置１４（光走査装置）を有している。感光体ドラム９は、装置本体２内に回転可能に設けられた像担持体である。上記帯電部１０、現像部１１、転写ローラー１２、及びクリーニング部１３は、感光体ドラム９に対して１０時の位置を基準として反時計回り方向にこの順に配置されている。画像形成部５は、カセット給紙部４から供給された用紙Ｐに画像を形成する。画像形成部５による画像形成動作の詳細は後述する。
【００２１】
上記定着部は、画像形成部５の上側に配置されている。定着部は、互いに圧接されて回転する定着ローラー及び加圧ローラーを有している。そうして、定着部は、画像形成部５で用紙Ｐに転写されたトナー像を当該用紙Ｐに定着させる。
【００２２】
排紙部６は、定着部の左側に設けられている。排紙部６は、装置本体２の上面部に形成されている。排紙部６には、定着部にてトナー像の定着が完了した用紙Ｐが排出される。
【００２３】
上記画像形成装置１が画像データを受信すると、画像形成部５において、感光体ドラム９が回転駆動されると共に、帯電部１０が感光体ドラム９の表面を帯電させる。そして、画像データに基づいて、レーザー光が光走査装置１４から感光体ドラム９へ出射される（図２の破線矢印参照）。感光体ドラム９の表面には、レーザー光が照射されることによって静電潜像が形成される。一方、現像部１１では、トナーコンテナ３から供給されたトナーを所定極性に帯電させる。感光体ドラム９上に形成された静電潜像は、現像部１１から供給された所定極性のトナーにより現像されてトナー像として可視化される。その後、用紙Ｐが転写ローラー１２と感光体ドラム９との間を通過すると、転写ローラー１２に印加された転写バイアスにより、感光体ドラム９上のトナー像が用紙Ｐに移動して転写される。
【００２４】
トナー像が転写された用紙Ｐは、上記定着部において定着ローラーと加圧ローラーとにより加熱及び加圧される。その結果、トナー像が用紙Ｐに定着する。トナー像が定着した用紙Ｐは排紙部６に排出される。
【００２５】
−光走査装置の構成−
次に、図３を参照して光走査装置１４について説明する。光走査装置１４は、ハウジング１５、光源１６、ポリゴンミラー１７、ポリゴンモーター１８、第一結像レンズ１９及び第二結像レンズ２０を有している。
【００２６】
ハウジング１５は、上側に開放する有底箱状をなしていてその開放部は不図示の蓋部によって閉塞されている。ハウジング１５は、その長手方向が前後方向に一致する状態で配置されている。
【００２７】
光源１６は、ハウジング１５の後側壁に取付けられている。光源１６は、例えばレーザーダイオード等により構成されていてポリゴンミラー１７に向けて光を出射する。ポリゴンミラー１７は、ハウジング１５の内部に収容されている、ポリゴンミラー１７は、ポリゴンモーター１８を介してハウジング１５の底壁部に支持されている。ポリゴンミラー１７は、正多角形状（本実施形態では五角形状）をなしている。ポリゴンミラー１７の周面は、五つの反射面により構成されている。ポリゴンミラー１７は、回転しながら光源１６からの光を反射して主走査方向に偏向走査させる。ポリゴンモーター１８は、ポリゴンミラー１７を回転駆動するモーターであって不図示のコントローラーにより駆動制御される。ポリゴンミラー１７及びポリゴンモーター１８が回転偏向器を構成している。
【００２８】
第一結像レンズ１９及び第二結像レンズ２０はハウジング１５の底部に設置されている。第一結像レンズ１９及び第二結像レンズ２０は、ポリゴンミラー１７の径方向外側に向かってこの順に互いに離間して配置されている。第一結像レンズ１９及び第二結像レンズ２０は、筐体３０の底壁部に沿って主走査方向（前後方向）に延びている。第二結像レンズ２０は、ハウジング１５の右側壁に隣接して配置されており、該右側壁には第二結像レンズ２０を通過した光をハウジング１５外に導く光通過開口１５ａが形成されている。光通過開口１５ａは主走査方向に延びる矩形状をなしている。
【００２９】
以上のように構成された光走査装置１４において、光源１６から出射されたレーザー光は、例えばコリメータレンズによって平行光束とされた後にシリンドリカルレンズ（共に図示せず）によってポリゴンミラー１７の反射面に集光される。ポリゴンミラー１７に集光された光は、ポリゴンミラー１７の反射面により反射され、走査光として第一結像レンズ１９及び第二結像レンズ２０に入射する。第一結像レンズ１９及び第二結像レンズ２０を通過した走査光は、光通過開口１５ａを通過して、ハウジング１５の外部の感光体ドラム９に照射される。こうして、走査光は、感光体ドラム９の表面に結像する。感光体ドラム９の表面に結像された走査光は、ポリゴンミラー１７の回転によって感光体ドラム９の表面を主走査方向に走査する。そうして、ポリゴンミラー１７の各反射面ごとに一本の走査光が生成される。感光体ドラム９は所定回転速度で回転しているので、各走査ビームは、感光体ドラム９の副走査方向の異なる位置を等間隔に走査する。これにより、感光体ドラム９の表面に静電潜像が形成される。
【００３０】
−光走査装置の支持構造−
図２及び図４に示すように、光走査装置１４は、装置本体２内に設けられた支持板１００（支持部材）により下方から支持されている。支持板１００は、トナーコンテナ３が装着される装着部Ｓ１の上側に配置されている。支持板１００は、光走査装置１４の前後方向の全体を下方から支持している。支持板１００は、本実施形態では板金部材により構成されているが、樹脂で構成されていてもよい。
【００３１】
具体的には、支持板１００は、第一当接座部１００ａ及び第二当接座部１００ｂを有している。第一当接座部１００ａは、平板状をなしていて、光走査装置１４の下面におけるポリゴンモーター１８の下側に位置する部分に当接している。第二当接座部１００ｂは、平板状をなしていて、光走査装置１４の下面における第二結像レンズ２０の下側に位置する部分に当接している。第一当接座部１００ａと第二当接座部１００ｂとは、第一連結部１００ｃを介して連結されている。第一連結部１００ｃは下側に凸となる断面台形状をなしている。また第二当接座部１００ｂの右側端縁は、第二連結部１００ｄを介して支持フレーム１０１に連結されている。支持フレーム１０１は、前後方向に延びる断面コ字状の金属部材である。支持フレーム１０１は、装置本体２のフレーム部材の一部を構成している。
【００３２】
第一連結部１００ｃと光走査装置１４の下面との間には、空間Ｓ２が形成されている。第二連結部１００ｄと光走査装置１４の下面との間には、空間Ｓ２よりも小さい空間Ｓ３が形成されている。
【００３３】
−トナーコンテナの構成−
次に図２、図４〜図６を参照してトナーコンテナ３の詳細について説明する。  
【００３４】
トナーコンテナ３は、装置本体２の装着部Ｓ１に対して前後方向に挿抜自在に装着される。本実施形態では、トナーコンテナ３の挿抜方向は前後方向（水平方向の一例）に一致している。装着部Ｓ１は、装置本体２の下部において前後方向に延びる空間である。トナーコンテナ３は装着部Ｓ１に対して装置本体２の前側から挿入される。図６は、トナーコンテナ３を装着部Ｓ１に装着する途中の状態を示している。
【００３５】
トナーコンテナ３は、筐体３０とトナー供給部３１とを有している。筐体３０内には、現像部１１への補給用トナーが収容される。トナー供給部３１は、筐体３０の上面部に連接されていて、筐体３０内のトナーを現像部１１に供給する。
【００３６】
具体的には、筐体３０は前後方向に延びる密閉箱状をなしている。筐体３０は、有底箱状の筐体本体部３０ａと、筐体本体部３０ａの上側を閉塞する蓋部３０ｂとを有している。筐体３０内には、トナーを撹拌する撹拌機構３２が設けられている。
【００３７】
撹拌機構３２は、前後方向に延びる第一シャフト３２ａ及び第二シャフト３２ｂを有している。第一シャフト３２ａ及び第二シャフト３２ｂにはそれぞれ、第一撹拌シート３２ｃ及び第二撹拌シート３２ｄが取付けられている。各撹拌シート３２ｃ，３２ｄは、可撓性を有するシート部材からなり、例えばプラスチックフィルム等によって形成されている。各撹拌シート３２ｃ，３２ｄは長方形状に形成されており、その長辺部分が各シャフト３２ａ，３２ｂに固定されている。そして、各シャフト３２ａ，３２ｂの端部は、筐体３０の端面から突出して装置本体２に設けられたモーターに連結される。各シャフト３２ａ，３２ｂがモーターにより回転駆動されると、各撹拌シート３２ｃ，３２ｄの先端部が筐体３０の内壁面に接触させながら移動する。そのことにより、筐体３０内のトナーは、各撹拌シート３２ｃ，３２ｄによって撹拌されるとともに筐体３０内の右側壁面に沿って掻き上げられる。掻き上げられたトナーはトナー供給部３１に供給される。
【００３８】
トナー供給部３１は、筐体３０の上面部の右側端部にダクト部３３を介して接続されている。トナー供給部３１は、前後方向に延びる円筒状をなしていてその内部には搬送スクリュー３１ａが収容されている。トナー供給部３１内の空間は、ダクト部３３を介して筐体３０内の空間に連通している。上記撹拌機構３２により撹拌されたトナーはこのダクト部３３を介してトナー供給部３１内に供給される。そして、供給されたトナーは、搬送スクリュー３１ａにより軸方向に搬送されて、トナー供給部３１の端部に形成されたトナー供給口を介して現像部１１に供給される
【００３９】
筐体３０の挿入方向の奥側（後側）の端面には、一対の位置決め突部３０ｄが突設されている。一対の位置決め突部３０ｄは、筐体３０の端面の下端部に左右方向に間隔を空けて形成されている。一対の位置決め突部３０ｄは、装着部Ｓ１の奥側の端面に形成された位置決め孔（図示省略）に嵌合する。そのことにより、筐体３０の左右方向及び上下方向の位置決めがなされる。
【００４０】
筐体３０の下面には前後方向に延びる枠状座部３０ｃが形成されている。枠状座部３０ｃは、トナーコンテナ３を装着部Ｓ１に挿入する際に、装着部Ｓ１の下面を形成する底板１０２に沿って摺動する。トナーコンテナ３を所定位置まで押し込んで一対の位置決め突部３０ｄが位置決め孔に嵌合することで、筐体３０は僅かに浮き上がって底板１０２と筐体３０の下面との間には微小な隙間が形成される。筐体３０が浮き上がった状態で位置決めされることにより、筐体３０の上面に形成された第一突部３０ｅ及び第二突部３０ｆが光走査装置１４の支持板１００の下面に当接する。第一突部３０ｅ及び第二突部３０ｆが当接部及び当接突部に相当する。
【００４１】
図５に示すように、第一突部３０ｅ及び第二突部３０ｆはトナーコンテナ３の蓋部３０ｂの上面に一体成型されている。第一突部３０ｅ及び第二突部３０ｆは、前後方向に延びる断面矩形状の突部である。第一突部３０ｅ及び第二突部３０ｆは、上側から見て筐体本体部３０ａの前端部から後端部に亘る範囲に形成されている。また、第一突部３０ｅ及び第二突部３０ｆは、上側から見て、少なくとも光走査装置１４の下面の前後方向の全体に亘って延設されている。
【００４２】
第一突部３０ｅの上端面は、トナーコンテナ３の装着が完了した状態で支持板１００の第一連結部１００ｃの平坦部に当接する。第二突部３０ｆの上端面は、トナーコンテナ３の装着が完了した状態で支持板１００の第二連結部１００ｄの平坦部に当接する。
【００４３】
そして、トナーコンテナ３は、支持板１００と、上記第一突部３０ｅ及び第二突部３０ｆを含む筐体３０とからなる部材群の固有振動数（共振周波数）が、光走査装置１４のポリゴンモーター１８の回転周波数（つまり回転偏向器の回転周波数）に一致するように構成されている。
【００４４】
ここで、従来のトナーコンテナでは、トナーが筐体の内壁面に付着したまま堆積する場合がある。この堆積したトナーは現像部に供給されずにトナー容器内に残留する。このため、トナー容器内のトナー全てを使い切ることができず、残留したトナーが無駄になってしまうという問題がある。
【００４５】
この問題を解決するべく、筐体の内壁面に対する撹拌シートの接触圧を高めることも考えられる。しかし、撹拌シートの接触圧が高過ぎると却ってトナーが内壁面に付着し易くなる場合がある。したがって、単に撹拌シートの接触圧を調整するだけでは、筐体の内壁面へのトナーの付着を回避することは困難である。
【００４６】
これに対して本実施形態では、トナーコンテナ３の筐体３０の上面に第一突部３０ｅ及び第二突部３０ｆを形成して、トナーコンテナ３が画像形成装置１に装着された状態で、第一突部３０ｅ及び第二突部３０ｆが支持板１００に当接するようにした。
【００４７】
この構成によれば、支持板１００に伝達された光走査装置１４のポリゴンモーター１８の回転振動が、第一突部３０ｅ及び第二突部３０ｆを介して筐体３０に伝達される。したがって、筐体３０の内壁面にトナーが付着したとしても、筐体３０に伝達された振動によって当該トナーを振るい落とすことができる。したがって、筐体３０の内壁面にトナーが堆積して無駄に廃棄されるのを防止することができる。
【００４８】
また、支持板１００と、第一突部３０ｅ及び第二突部３０ｆを含む筐体３０とからなる部材群の固有振動数（共振周波数）は、ポリゴンモーター１８の回転周波数に一致している。
【００４９】
これによれば、筐体３０がポリゴンモーター１８の回転により共振するので、筐体３０の側壁を大きく振動させることができる。よって、筐体３０の内壁面にトナーが付着するのをさらに確実に抑制することができる。
【００５０】
また、上記第一突部３０ｅ及び第二突部３０ｆは、筐体３０の上面から上側に突出して該トナーコンテナ３の挿抜方向に沿って延び、該挿抜方向に直交する方向に間隔を空けて配置されている。
【００５１】
これによれば、筐体３０の四つの側壁のそれぞれに、ポリゴンモーター１８の振動を万遍なく伝達することができる。よって、筐体３０の内壁面へのトナーの付着を可及的に抑制することができる。
【００５２】
また、支持板１００における第一突部３０ｅが当接する部分である第一連結部１００ｃと光走査装置１４との間には空間Ｓ２が形成されている。したがって、支持板１００は、第一連結部１００ｃにおいて、他部品に拘束されないので振動し易くなる。同様に、支持板１００における第二突部３０ｆが当接する部分である第二連結部１００ｄと光走査装置１４との間には空間Ｓ２が形成されている。したがって、支持板１００は、第二連結部１００ｄにおいて、他部品に拘束されないので振動し易くなる。よって、支持板１００を、第一連結部１００ｃ及び第二連結部１００ｄにおいて大きく振動させて、その振動を第一突部３０ｅ及び第二突部３０ｆを介して筐体３０に伝達することができる。よって、筐体３０の内壁面へのトナーの付着を可及的に抑制することができる。
【００５３】
さらに、支持板１００は、光走査装置１４の下面におけるポリゴンモーター１８の下側に位置する部分に当接する第一当接座部１００ａを有している。
【００５４】
これによれば、光走査装置１４の振動源であるポリゴンモーター１８に最も近い部分を支持板１００に確実に当接させることできる。よって、ポリゴンモーター１８の振動を支持板１００（第一当接座部１００ａ）を介して筐体３０に確実に伝達することができる。
《実施形態２》
図７は、実施形態２を示す図４相当図である。この実施形態２では、支持板１００の下面に第一ガイド突部１００ｅ及び第二ガイド突部１００ｆが形成されている点で上記実施形態１とは異なっている。尚、この点を除くその他の構成は上記実施形態１と同様である。図７において、実施形態１と同じ構成要素には同じ符号を付してその詳細な説明は省略する。
【００５５】
第一ガイド突部１００ｅ及び第二ガイド突部１００ｆは、前後方向に延びる断面矩形状をなしている。第一ガイド突部１００ｅ及び第二ガイド突部１００ｆは、左右方向に間隔を空けて形成されている。第一ガイド突部１００ｅは、第一連結部１００ｃの平坦部の左側端部に一体形成され、第二ガイド突部１００ｆは、第二連結部１００ｄの平坦部の左側端部に一体形成されている。
【００５６】
第一ガイド突部１００ｅ及び第二ガイド突部１００ｆの左右方向の外側面同士の距離は、蓋部３０ｂの第一突部３０ｅ及び第二突部３０ｆの左右方向の内側面同士の距離と同等（同じか又は僅かに小さい）に設定されている。そうして、第一ガイド突部１００ｅ及び第二ガイド突部１００ｆは、トナーコンテナ３が装着部Ｓ１に装着される際に、筐体３０の上面から突出する第一突部３０ｅ及び第二突部３０ｆを前後方向にガイドするように構成されている。
【００５７】
第一ガイド突部１００ｅの下端面及びび第二ガイド突部１００ｆの下端面は、トナーコンテナ３が装着部Ｓ１に装着された状態で蓋部３０ｂの上面に当接する。
【００５８】
トナーコンテナ３は、第一ガイド突部１００ｅ及び第二ガイド突部１００ｆを含む支持板１００と、上記第一突部３０ｅ及び第二突部３０ｆを含む筐体３０とからなる部材群の固有振動数が、光走査装置１４のポリゴンモーター１８の回転周波数に一致するように構成されている。
【００５９】
本実施形態によれば、筐体３０の上面に突設された第一突部３０ｅ及び第二突部３０ｆが、トナーコンテナ３の挿抜作業時に、第一ガイド突部１００ｅ及び第二ガイド突部１００ｆによりガイドされる被ガイド部として機能する。
【００６０】
したがって、トナーコンテナ３のガイド機構を別途設ける場合に比べて部品点数を削減して製品コストを低減することができる。
【００６１】
さらに、各ガイド突部１００ｅ，１００ｆの下端面は、トナーコンテナ３が装着部Ｓ１に装着された状態で、筐体３０の上面に当接する。        
【００６２】
したがって、光走査装置１４のポリゴンモーター１８の振動を、第一突部３０ｅ及び第二突部３０ｆのみでなく、第一及び第二ガイド突部１００ｅ，１００ｆを介して筐体３０に伝達することができる。よって、実施形態１と同様の作用効果をより一層確実に得ることができる。
【００６３】
《他の実施形態》
上記実施形態では、画像形成装置１がレーザープリンターである例について説明したが、これに限ったものではない。画像形成装置１は、複写機、ファクシミリー、複合機（ＭＦＰ）等であってもよい。
【００６４】
上記実施形態１及び２では、トナーコンテナ３の上面に支持板１００と当接する第一突部３０ｅ及び第二突部３０ｆ（当接部）を形成するようにしているが、これに限ったものではない。すなわち、第一突部３０ｅ及び第二突部３０ｆ（当接部）を廃止し、トナーコンテナ３と支持板１００との当接部を、該支持板１００側にのみ形成するようにしてもよい。この場合、当接部は、例えば実施形態２の第一及び第二ガイド突部１００ｅ，１００ｆと同様の構成にすればよい（図８参照）。
【産業上の利用可能性】
【００６５】
以上説明したように、本発明は、トナー容器及び画像形成装置について有用である。
【符号の説明】
【００６６】
Ｓ１      ：装着部
Ｐ        ：用紙
１        ：画像形成装置
３        ：トナーコンテナ（トナー容器）
９        ：感光体ドラム（像担持体）
１１      ：現像部
１４      ：光走査装置
１６      ：光源
１７      ：ポリゴンミラー（偏向器）
１８      ：ポリゴンモーター（偏向器）
３０      ：筐体
３０ｅ    ：第一突部（当接突部）
３０ｆ    ：第二突部（当接突部）
３１      ：トナー供給部
３２      ：撹拌機構
１００    ：支持板（支持部材）
１００ａ  ：第一当接座部（当接座部）
１００ｅ  ：第一ガイド突部
１００ｆ  ：第二ガイド突部
【図１】
2019148762.tif 000003
【図２】
2019148762.tif 000004
【図３】
2019148762.tif 000005
【図４】
2019148762.tif 000006
【図５】
2019148762.tif 000007
【図６】
2019148762.tif 000008
【図７】
2019148762.tif 000009
【図８】
2019148762.tif 000010